(57)【要約】【課題】構成簡単で安価な構造物の計量用支持構造体を提供できるようにする。【解決手段】基礎２の水平面上に固定されるベースプレート１と平行となるように天板４が一体に設けられてなるケーシング５と、このケーシング５のベースプレート１の中央部にセットされる受け台６に載置されて上下方向に向いてセットされるロードセル７と、前記天板４の中央部に形成された円形の孔部４ａの内部に位置するとともに上端が天板４の上面よりも上方に突出し下端がロードセル７の上端の球面部７ｂに首振り自在に載る支持部材８と、前記天板４の上面よりも上方に突出する支持部材８によって受けられる取り付け板９と、前記天板４と取り付け板４との間に介在される浮き上がり手段とを有し、前記孔部４ａの内面と支持部材８の外面との間に横揺れの許容範囲で間隙が形成され、前記取り付け板９上に被計量構造物１７を取り付けるように構成した。【選択図】        図６
2004271184.tif 000002
【特許請求の範囲】
【請求項１】
基礎の水平面上に固定されるベースプレートと平行となるように天板が一体に設けられてなるケーシングと、このケーシングのベースプレートの中央部にセットされる受け台に載置されて上下方向に向いてセットされる計量用手段としてのロードセルと、前記ケーシングの天板の中央部に形成された円形の孔部の内部に位置するとともに上端が天板の上面よりも上方に突出し下端がロードセルの上端の球面部に首振り自在に載る支持部材と、前記天板の上面よりも上方に突出する支持部材によって受けられる取り付け板と、前記天板と取り付け板との間に介在される浮き上がり防止手段とを有し、前記孔部の内面と支持部材の外面との間に横揺れの許容範囲で間隙が形成され、前記取り付け板上に被計量構造物を取り付けるように構成したことを特徴とする構造物の計量用支持構造体。
【請求項２】
天板と取り付け板との間に差し込まれるスペーサーを備え、天板には雌ねじ孔が形成され、この雌ねじ孔の裏面からはジャッキアップ用ボルトの雄ねじが螺入されて、この雄ねじの上端が雌ねじ孔から上方に突出して取り付け板の裏面に当接し、取り付け板をジャッキアップ用ボルトによって持ち上げることにより天板と取り付け板との間からスペーサーを抜き取り可能としたことを特徴とする請求項１記載の構造物の計量用支持構造体。
【発明の詳細な説明】
【０００１】
【発明の属する技術分野】
本発明は、例えば貯留タンク、ホッパまたは台秤などの被計量構造物をロードセルを介して支持する構造物の計量用支持構造体に関するものである。
【０００２】
【従来の技術】
従来、例えばセメントなどの粉粒体の重量を計測する場合、通常、計量すべき粉粒体をロードセルを介して支持された計量ホッパに投入し、これらロードセルの出力に基づいて計量を行なう。
【０００３】
上記ホッパのような被計量構造物をロードセルを介して支持する支持構造体としては、例えば特許文献１で開示されているような、基礎に取り付けられる第１の取付板と、この第１の取付板と平行な位置関係で被計量構造物に取り付けられる第２の取付板とを有し、これら第１および第２の取付板の間にロードセルを介在させて上記構造物を支持する構造物の計量用支持構造体において、一端で前記第１の取付板に対して回動可能に連結され、他端で前記第２の取付板に対して回動可能に連結され、且つこれら両端間の距離が可変である連結手段を設けて、支持構造体上に据え付けられた被計量構造物の振れ止めを行なうようにしたものが知られている。
【０００４】
具体的には、前記連結手段は前記第１の取付板に設けられた第１のブラケットに該取付板と平行な第１の軸により軸支された第１のリンク部材と、前記第２の取付板に設けられた第２のブラケットに前記第１の軸と平行な第２の軸により軸支された第２のリンク部材と、これら両リンク部材を連結する可変長連結部材を有して構成されている。
【０００５】
しかしながら、このような構造物の計量用支持構造体は、第１の取付板に設けられた上向きの第１のブラケットの上端と第２の取付板に設けられた下向きの第２のブラケットの下端との間に第１および第２のリンク部材と可変長連結部材を備えて振れ止め機構を構成しており、構成が複雑となってコストが高くなるという問題があった。
【０００６】
【特許文献１】
実公平８−４５７６号公報
【０００７】
【発明が解決しようとする課題】
本発明はこのような課題を解決するもので、構成簡単で安価な構造物の計量用支持構造体を提供できるようにすることを目的とするものである。
【０００８】
【課題を解決するための手段】
この課題を解決するために本発明は、基礎の水平面上に固定されるベースプレートと平行となるように天板が一体に設けられてなるケーシングと、このケーシングのベースプレートの中央部にセットされる受け台に載置されて上下方向に向いてセットされる計量用手段としてのロードセルと、前記ケーシングの天板の中央部に形成された円形の孔部の内部に位置するとともに上端が天板の上面よりも上方に突出し下端がロードセルの上端の球面部に首振り自在に載る支持部材と、前記天板の上面よりも上方に突出する支持部材によって受けられる取り付け板と、前記天板と取り付け板との間に介在される浮き上がり防止手段とを有し、前記孔部の内面と支持部材の外面との間に横揺れの許容範囲で間隙が形成され、前記取り付け板上に被計量構造物を取り付けるように構成したことを要旨とするものである。また本発明は、天板と取り付け板との間に差し込まれるスペーサーを備え、天板には雌ねじ孔が形成され、この雌ねじ孔の裏面からはジャッキアップ用ボルトの雄ねじが螺入されて、この雄ねじの上端が雌ねじ孔から上方に突出して取り付け板の裏面に当接し、取り付け板をジャッキアップ用ボルトによって持ち上げることにより天板と取り付け板との間からスペーサーを抜き取り可能としたことを要旨とするものである。
【０００９】
この構成により、貯留タンク、ホッパなどの被計量構造物はケーシングの天板の上側に位置してロードセルの上端で支持部材を介して受けられる取り付け板上に取り付けられるようになっており、地震などにより水平方向に不測の揺れが生じたときは、被計量構造物も水平方向の揺れが生じるが、この被計量構造物の水平方向の揺れはロードセルの上端に載る支持部材と天板の孔部の内面との間の間隙の範囲内であり、水平方向の揺れが緩和される。この水平方向の揺れを緩和するために本発明では前記従来例のような機構に比べて大幅に簡略化でき、構成簡単で安価な構造物の計量用支持構造体を提供できるものである。
【００１０】
【発明の実施の形態】
以下、本発明の一実施の形態について、図面に基づいて説明する。
図１〜図７において、１は基礎２の水平面上に固定されたベースプレートで、このベースプレート１上には左右両側位置でベースプレート１に対して直角に起立する脚板３，３が溶接にて一体に設けられ、この脚板３，３の上端には前記ベースプレート１と平行となるように天板４が一体に設けられてケーシング５が形成されている。６は前記ケーシング５のベースプレート１の中央部にセットされる受け台で、この受け台６の上面の凹部６ａに計量用手段としてのロードセル７の下端が載せられる。受け台６の上面の凹部６ａに嵌り込むロードセル７の下端は大きな半径の円弧面７ａとなっていて、この円弧面７ａが前記凹部６ａの底部に当接するようになる。前記ロードセル７の上方に位置する前記天板４の中央部には円形の孔部４ａが形成され、上端が天板４の上面よりも上方に突出する支持部材８が孔部４ａの内部に位置して下端がロードセル７の上端の球面部７ｂに首振り自在に載るように構成されている。なお、天板４の孔部４ａの内部に位置する支持部材８の外形は円形で、孔部４ａの内面と支持部材８の外面との間に横揺れの許容範囲で僅かな間隙が形成されている。９は天板４の上面よりも上方に突出する支持部材８によって受けられる取り付け板で、この取り付け板９の裏面中央部には前記支持部材８の上端大径部８ａを嵌入させる凹部９ａが形成されている。ところで、前記取り付け板９の裏面からは下端に雄ねじ１０ａが形成された浮き上がり防止ピン１０が突設され、この浮き上がり防止ピン１０を前記ケーシング５の天板４に形成された貫通孔１１より天板４の下方に突出させ、天板４の下方に突出した浮き上がり防止ピン１０の下端の雄ねじ１０ａにナット１２を螺合させることによって取り付け板９の浮き上がりを防止するように構成されている。詳しくは、天板４の下方に突出する浮き上がり防止ピン１０にはナット１２の上側にワッシャー１３が外嵌されて、このワッシャー１３がナット１２の上に載り、ワッシャー１３の上面と天板４の裏面との間に浮き上がりの許容範囲で僅かな間隙が形成されるようになっている。さらに、前記天板４には前記貫通孔１１との間で孔部４ａを挟む位置で雌ねじ孔１４が形成され、この雌ねじ孔１４の裏面からはジャッキアップ用ボルト１５の雄ねじ１５ａが螺入されて、この雄ねじ１５ａの上端が雌ねじ孔１４から上方に突出して前記取り付け板９の裏面に当接し、取り付け板９を持ち上げるようになっている。１６は前記天板４と取り付け板９との間に差し込まれるスペーサーで、後述する貯留タンク、ホッパなどの被計量構造物を取り付け板９の上に載せてセットし終わるまでは天板４と取り付け板９との間に設けられていて、被計量構造物の重量がロードセル７に掛からないようになっており、被計量構造物が取り付け板９の上に載せられてセットし終わった時点で前記ジャッキアップ用ボルト１５を回して雄ねじ１５ａの上端を持ち上げることにより天板４と取り付け板９との間からスペーサー１６が引き抜き可能となっている。
【００１１】
図４〜図６に上記構成の構造物の計量用支持構造体の使用例を示し、同図において貯留タンク、ホッパなどの被計量構造物１７を所定位置に取り付ける前に、被計量構造物１７の周囲４箇所に相当する箇所においてそれぞれ計量用支持構造体のケーシング５のベースプレート１を基礎２上にボルト１８およびナット１９により取り付ける。つまり、被計量構造物１７を周囲４箇所の計量用支持構造体で受けるようにする。計量用支持構造体を基礎２上にボルト１８およびナット１９により取り付けた状態において天板４と取り付け板９との間には前述のようにスペーサー１６が差し込まれた状態にあり、かかる状態で被計量構造物１７を４つの計量用支持構造体の取り付け板９の上に載せる。詳しくは、被計量構造物１７の周囲４箇所に一体的に設けた支持金具２０を取り付け板９上に載せ、支持金具２０を取り付け板９に対しボルト２１およびナット２２で固定し、その取り付け完了状態においてジャッキアップ用ボルト１５により取り付け板９を持ち上げて天板４と取り付け板９との間からスペーサー１６を抜き取る。なお、前記被計量構造物１７を受ける４つの計量用支持構造体はそれぞれ正面から見て前記各部材が同じ位置関係となるように基礎２上に取り付けられている。
【００１２】
上記のように基礎２上に４つの計量用支持構造体を介して被計量構造物１７を支持した状態において、地震などにより水平方向に不測の揺れが生じたときは、被計量構造物１７も水平方向の揺れが生じるが、この被計量構造物１７の水平方向の揺れは前記ロードセル７の上端に載る支持部材８と天板４の孔部４ａの内面との間の間隙の範囲内であり、水平方向の揺れが緩和される。また、地震などにより縦方向に不測の揺れが生じたときは、被計量構造物１７も縦方向の揺れが生じるが、この被計量構造物１７の縦方向の揺れは前記取り付け板９の裏面から突設した前記浮き上がり防止ピン１０の下端の雄ねじ１０ａに螺合するナット１２の上側のワッシャー１３の上面と天板４の裏面との間の間隙の範囲内であり、縦方向の揺れが緩和され、被計量構造物１７が浮き上がって倒れるのを防止することができる。
【００１３】
【発明の効果】
以上のように本発明の計量用支持構造体は、貯留タンク、ホッパなどの被計量構造物はケーシングの天板の上側に位置してロードセルの上端で支持部材を介して受けられる取り付け板上に取り付けられるようになっており、地震などにより水平方向に不測の揺れが生じたときは、被計量構造物も水平方向の揺れが生じるが、この被計量構造物の水平方向の揺れはロードセルの上端に載る支持部材と天板の孔部の内面との間の間隙の範囲内であり、水平方向の揺れが緩和される。この水平方向の揺れを緩和するために本発明では前記従来例のような機構に比べて大幅に簡略化でき、構成簡単で安価な構造物の計量用支持構造体を提供できるものである。
【図面の簡単な説明】
【図１】本発明の一実施の形態における計量用支持構造体の分解斜視図である。
【図２】同計量用支持構造体の組み立て完成斜視図である。
【図３】同計量用支持構造体の正面図である。
【図４】同計量用支持構造体で被計量構造物を受けた状態を示す平面図である。
【図５】同計量用支持構造体で被計量構造物を受けた状態を示す正面図である。
【図６】同計量用支持構造体で被計量構造物を受けた状態を示す要部拡大断面図である。
【符号の説明】
１      ベースプレート
２      基礎
３      脚板
４      天板
４ａ    孔部
５      ケーシング
６      受け台
７      ロードセル
７ｂ    球面部
８      支持部材
８ａ    上端大径部
９      取り付け板
９ａ    凹部
１０      浮き上がり防止ピン
１０ａ    雄ねじ
１１      貫通孔
１２      ナット
１３      ワッシャー
１４      雌ねじ孔
１５      ジャッキアップ用ボルト
１５ａ    雄ねじ
１６      スペーサー
１７      被計量構造物
１８      ボルト
１９      ナット
２０      支持金具
２１      ボルト
２２      ナット
【図１】
2004271184.tif 000003
【図２】
2004271184.tif 000004
【図３】
2004271184.tif 000005
【図４】
2004271184.tif 000006
【図５】
2004271184.tif 000007
【図６】
2004271184.tif 000008